(57)【特許請求の範囲】
【請求項１】
防水部材として軟質で薄手のカバー材を使用する防水具にあって、
防水カバーと当該防水カバーを取り付ける取り付け具とから構成され、
前記取り付け具は、互いに係合する一対のリング状体で構成され、内側のリング状体はレンズ鏡筒に係着固定される装着体として、外側のリング状体は前記装着体に前記防水カバーを防水状態に係止する止着体として構成され、前記装着体の外周面にオス型ネジが形成され、前記装着体の基端部外周縁にフランジが形成され、前記止着体の内周面に前記装着体のオス型ネジに螺合するメス型ネジが形成されており、
前記防水カバーは、前記装着体のオス型ネジと前記止着体のメス型ネジとの間に挟まれ、さらに前記フランジに圧接するよう取り付けられていることを、
特徴とするカメラの防水具。
【請求項２】
前記レンズ鏡筒は、不使用時にカメラの本体内に収納される小型のデジタルカメラのレンズ鏡筒であり、
前記取り付け具は、前記レンズ鏡筒の突出に相当する外筐部を備え、当該外筐部がカメラに取り付けられ、
前記装着体は、前記外筐部の一端に取り付けられていることを、
特徴とする請求項１に記載のカメラの防水具。
【請求項３】
前記防水カバーは、カメラの本体を被包する矩形体状の袋体で、当該袋体のレンズ相当部に、前記レンズ鏡筒の外径と長さを越える円筒状の突出部を備えていることを、特徴とする請求項１又は２に記載のカメラの防水具。
【請求項４】
前記防水カバーで被包されたカメラがカメラグリップに装着された状態にあって、前記防水カバーの開口部の端末は、前記カメラグリップの握持部に設けられた収容部に収容可能であることを、特徴とする請求項１、２又は３に記載のカメラの防水具。
【発明の詳細な説明】
【技術分野】
【０００１】  この発明は、カメラ、ビデオカメラなどに適用して好適な防水具に関する。特に、カメラを被包する防水カバーと当該防水カバーを容易に着脱する取り付け具で構成し、取り付け具は、カメラのレンズ鏡筒に容易に、かつ密閉状に装着できるものであり、防水カバーには流通素材であるポリエチレン袋などを使用することができる。
【背景技術】
【０００２】  雨天時の地上での撮影に使用されるカメラの防水具には、水中用の耐水圧防水ケース、いわゆるカメラハウジングを使用するほか、一般には、軟質で薄手のビニールや防水布などでカメラを被う防水具が使用されおり、カメラレインコートあるいはカメラレインカバーと呼ばれており、それぞれの従来例を図１０、図１１に示す。【０００３】  図１０に示すカメラレインコートは、紡錘状に形成した透明なビニールの防水カバー５１をカメラ１０に被せ、このカバー部材の正面に円板状のゴム部材５２を貼り、この部分に窓孔５３を設け、この窓孔５３からレンズ鏡筒９を突出して使用するものである。【０００４】  また、図１１は、主として自然写真の撮影のためのカメラの防水具であり、防寒や迷彩を施した防水布材（レインカバー）５６を筒袖状にしてレンズ鏡筒９およびカメラ１０を被包し、この筒袖部５８の先端部に巾着状の紐５７と緊縛具（コードロック）５９を設けて、レンズ鏡筒９に取り付けるものである。【０００５】  したがって、前記の２例ともに、レンズ鏡筒の先端部はカバー部材から突出しているので、防水はなされず、風雨により、あるいは臨海では海水に濡れてしまうことがある。また、カメラの操作は、レインカバーの下部の開口部より手を挿入して行うが、カバー外部から操作することはできない。【０００６】
【特許文献１】特開２００２−５５３８７
【発明の開示】
【発明が解決しようとする課題】
【０００７】  前記のように、従来のカメラの防水具は、防水カバーにゴム板の窓を設けたものや防水布をコードロックでレンズ鏡筒に止着する構造なので、取り付け部とレンズ鏡筒との密着性は完全ではなく浸水することが懸念される。また、カバー部とレンズ鏡筒への止着部とは一体化されているので、カバー部の形状や容積は固定され、適用できるカメラやレンズの種類が制限される。【０００８】  本来、カバー部材は、カメラの形状への係合性やカバー外部からのカメラの操作性などから、透明であり、できるだけ軟質で薄手のものがよいが、強度や耐久性が悪くなるので、損傷した場合には容易に交換できることが望ましい。すなわち、防水カバー部材がディスポザブル（使い捨て）として取り扱われることが課題となる。【０００９】  本発明は、このような点に鑑みて成されたものであり、この取り付け具は、前記のカバー部材を簡単に着脱できる要件を満たし、堅牢で、且つレンズ鏡筒に対して密閉性が保持されていることが必要である。さらに、口径や長さの異なるレンズ鏡筒を備えたカメラにもカバー部の交換のみで使用することができる。
【課題を解決するための手段】
【００１０】
前記の課題を解決するため、本発明に係るカメラの防水具は、防水部材として軟質で薄手のカバー材を使用する防水具にあって、防水カバーと当該防水カバーを取り付ける取り付け具とから構成され、前記取り付け具は、互いに係合する一対のリング状体で構成され、内側のリング状体はレンズ鏡筒に係着固定される装着体として、外側のリング状体は前記装着体に前記防水カバーを防水状態に係止する止着体として構成され、前記装着体の外周面にオス型ネジが形成され、前記装着体の基端部外周縁にフランジが形成され、前記止着体の内周面に前記装着体のオス型ネジに螺合するメス型ネジが形成されており、前記防水カバーは、前記装着体のオス型ネジと前記止着体のメス型ネジとの間に挟まれ、さらに前記フランジに圧接するよう取り付けられていることを、特徴とする。
【００１１】  小型のデジタルカメラのレンズ鏡筒は、一般に、不使用時ではカメラの本体内に収納されているので、前記の取り付け具をレンズ鏡筒に装着することができない。【００１２】
このため、本発明に係るカメラの防水具で、前記レンズ鏡筒は、不使用時にカメラの本体内に収納される小型のデジタルカメラのレンズ鏡筒であり、前記取り付け具は、前記レンズ鏡筒の突出に相当する外筐部を備え、当該外筐部がカメラに取り付けられ、前記装着体は、前記外筐部の一端に取り付けられていてもよい。
【００１３】  この発明では、防水カバー部材として、流通素材のポリエチレンシート袋などを適用することができるが、携帯性などから、防水カバー部の構造はカメラの外形にできるだけ係合した方がよい。【００１４】
本発明に係るカメラの防水具で、前記防水カバーは、カメラの本体を被包する矩形体状の袋体で、当該袋体のレンズ相当部に、前記レンズ鏡筒の外径と長さを越える円筒状の突出部を備えていることが好ましい。

【００１５】
また、前記防水カバーで被包されたカメラがカメラグリップに装着された状態にあって、前記防水カバーの開口部の端末は、前記カメラグリップの握持部に設けられた収容部に収容可能であってもよい。
【発明の効果】
【００１６】  以上説明したように本発明によれば、カメラを被包する防水用のカバー部材は、装着体と止着体との螺合、開放によって簡単に着脱することができるので、ディスポザブル（使い捨て）にすることが可能となる。【００１７】  また、この取り付け具を使用すれば、防水カバー部材２は流通素材を使用して、使用者が独自に加工することも可能であり、これまで特殊部門であった土木建築、鑑識、報道などの広い分野で、雨天時において高性能な一眼レフレックスカメラなども使用することができる。さらに、防水具を装着したままでフラッシュコードやＵＳＢ線を防水カバーの入口部から取り出せるので、即時の送信も可能となる。
【発明を実施するための最良の形態】
【００１８】  以下、本発明の実施の形態を図面に基づき詳細に説明する。【００１９】  図１は、この発明に係るカメラの防水具の分解斜視図であり、図２は防水具をカメラに装着した状態を示す斜視図である。図１に示すように防水具１はカメラ１０を被う防水カバー１ａと取り付け具１ｂとで構成される。防水カバー１ａのカバー部材２には流通素材で安価なポリエチレンシート袋などが使用されるが、詳細については後述する。【００２０】  取り付け具１ｂは、図１に示すように、おおよそ２ｃｍ幅ほどの一対の螺合するリングで構成されており、カメラへの装着体４はその外周面にオス型ネジ４ａが施され、基端部の外周縁（レンズ鏡筒側）にはフランジ４ｂが設けられており、止着体５は装着体４に螺合するメス型ネジ５ａが施されたリングであり、好適にはリングの表面に滑り止め６が施されて螺入しやすくしている。【００２１】  カバー部材２のポリエチレンシート袋は、厚さ０．０２〜０．０３ｍｍ程度のポリエチレンシート袋が使用可能である。カバー部材２を装着体４に取り付けるには、図１に示すように、レンズ鏡筒９に装着体４を取り付けて、装着体４とカメラ１０にカバー部材２を被包する。この場合、カバー部材２は装着体４の開口面４ｄと装着体４のネジ４ａ面を被覆する。このような状態で止着体５をカバー部材２の上から装着体４に螺入するとカバー部材２は取り付け具１ｂに挟着される。【００２２】  図３は、図２のＡ−Ａの縦断面である。図３に示すように、カバー部材２ｂは装着体４と止着体５のネジ間に挟まれ、かつネジに沿って波状に蛇行するので雨水の浸入を防止することができ、また、防水カバー１ａは取り付け具１ｂから離脱しない。さらに、止着体５の螺入を進めると、カバー部材２はフランジ部４ｂに圧接して水の浸入を防ぐことができる。好適にはフランジ部４ｂにパッキン材７を設けると防水性を一層高めることができる。【００２３】  前記の状態では、図１に示すようにカバー部材２ａが装着体４の開口部４ｄを蓋い、撮影の光路が妨害されるので、前記のカバー部材２ａをカッターなどで切除して光路を確保する。レンズ８はプロテクトフィルター１１で防水される。【００２４】前記の防水カバーの取り付け具１ｂをレンズ鏡筒に装着するにはレンズ鏡筒９の先端に嵌入する。ただし、レンズ鏡筒９の先端に偏光フィルターやレンズフードなどを取り付けたい場合には、レンズ鏡筒９を装着体４の出口面４ｄまで挿入することが必要である。また、広角レンズを使用する場合でも装着体４によるケラレが生じることがあるので、前記の要件が必要になる。【００２５】図４は、装着体４の開口部４ｂにレンズ鏡筒９を装着する実施例である。図４に示すように、装着体４の開口部４ｄに、フィルター枠１１のオスネジ部１１ｂが通過できる内径を有するフランジ部４ｃを設け、レンズ鏡筒９のフィルターネジ９ａにフィルター枠１１ａを螺入すると、このフランジ部４ｃはレンズ鏡筒９の先端に挟着され、取り付け具１ｂはレンズ鏡筒９に装着される。【００２６】  小型のデジタルカメラのレンズ鏡筒は、一般に、不使用時には本体内に収納されているので、前記の取り付け具１ｂは装着できない。【００２７】  このために、図５に示すように、繰り出��型レンズ鏡筒２５の外形に相当する円筒状の外筐部２１を設け、この外筐部２１の一端にＬ字状の取り付け座２３を設け、この取り付け座２３の底部にカメラの三脚用のネジ孔２４を設け、三脚用のネジ具で取り付け座２３をカメラ１０に固定する。好適には、図５に示すように、外筐部２１の前面にアクリルなどの光学歪のない防水窓２２が一体化されていることが望ましい。【００２８】  本発明において、図１の防水用のカバー部材２としては、所謂、ゴミ袋として日常使用されている大小のポリエチレンシート（以下、シートという）袋などが適用されることを特徴とする。【００２９】  前記のシートは透明な薄膜（０．０２ｍｍ〜０．０３ｍｍ程度）なので、カメラの操作はシート袋の外部から行うことができ、デジタルカメラの液晶画面はシートを透して確認することができる。ただし、一眼レフレックス型カメラのファインダーでは、シートによる減光と歪により見難くなるので、窓を設けることが必要となる。【００３０】  図６ａ、図６ｂはシートにファインダー窓３１を設ける実施例を示し、カメラのファインダー部３１のシートに、図６ａに示すように、ボタンホール状の切開部３３を設け、両端にテープ留３４を施し、図６ｂに示すように、前記の切開部３３にゴムのアイカップ３２を通すとファインダー窓３１を設けることができる。前記の装着状態においては、ゴム製のアイカップ３２と軟質なシート（切開部３３）との接合で雨滴の浸入を防止することができる。【００３１】  以上の実施例は、本発明に於いて防水用のカバー部材２として、日常使用されているポリエチレンシート袋を適用した実施例であるが、好適には防水カバーの構造形状はカメラの外形相当であることが望ましい。【００３２】  図７は本発明に好適な防水カバーの構造を示す実施例である。図７に示すようにカメラ１０を被包する矩形体状の袋体４１とその側方の一端に開口部４１ａが設けてあり、この袋体４１のレンズ相当部にレンズ鏡筒９の外径と長さを越える円筒部４２を設けたものである。【００３３】  図８は当該防水カバー１ａをカメラに装着する実施例を示す。はじめに、袋体４１の開口部４１ａを円筒部４２まで捲くる（例えば靴下を履くときのように）とレンズ鏡筒９の入口部４２ａが現れるので、ここからレンズ鏡筒９を挿入し、止着体５を円筒部４２の先端部４２ｂから通して装着体４に螺入し、先端部４２ｂの余長部分を切除する。袋体４１の端末部４１ｂはワイヤーロック４３などで係止する。【００３４】  前記の袋体４１の端末部４１ｂはワイヤーロック４３などで係止して防水されるが、携帯するときにこの端末部４１ｂが邪魔になることがある。【００３５】  図９は、カメラグリップ４５の握持部４５ａに袋体４１の端末部４１ｂを収容する実施例を示す。袋体４１でカメラ１０を被包し、カメラグリップ４５の台座４５ｂに取り付ける。カメラグリップ４５の握持部４５ａには袋体４１の端末部４１ｂを収容する収容部４６が設けられ、この収容部４６には蝶番４６ｂを介して蓋４６ａと下部には袋体４１の端末部４１ｂを通す入口部４６ｃが設けられている。すなわち、袋体４１の端末部４１ｂは蓋４６ａを開いて入口部４６ｃから収容部４６に導入される。この場合、袋体４１の���口部４１ａからの防水性は確保され、携帯にも便利である。
【図面の簡単な説明】
【００３６】
【図１】防水具の構成を示す分解斜視図である。
【図２】防水具をカメラに装着した状態を示す斜視図である。
【図３】図２の取り付け具のＡ−Ａの縦断面図である。
【図４】フィルター枠で装着体をレンズ鏡筒に取り付けた状態での縦断面図である。
【図５】装着体にレンズ鏡筒の外筐とＬ型取り付け座を設けた状態を示す斜視図である。
【図６】カバー部材にファインダー窓を設ける実施例を示す背面図である。
【図７】好適な防水カバーの構造を示す斜視図である。
【図８】図７の防水カバーをカメラに装着した状態を示す斜視図である。
【図９】カメラグリップの握持部にカバーの端末部の収容部を設けた斜視図である。
【図１０】防水カバーの従来例１を示す構成図である。
【図１１】防水カバーの従来例２を示す構成図である。
【符号の説明】
【００３７】１              防水具
１ａ            防水カバー
１ｂ            取り付け具
２              カバー部材
４              装着体
５              止着体
９              レンズ鏡筒
２５  繰り出し型レンズ鏡筒
１０            カメラ
１１            フィルター
１１ａ          フィルター枠
２１            レンズ外筐部
４１            カバー袋体
４２            円筒部
４５            カメラグリップ
４５ａ          握持部
４６            カバー端末収容部
【図１】
0004409493.tif 000002
【図２】
0004409493.tif 000003
【図３】
0004409493.tif 000004
【図４】
0004409493.tif 000005
【図５】
0004409493.tif 000006
【図６】
0004409493.tif 000007
【図７】
0004409493.tif 000008
【図８】
0004409493.tif 000009
【図９】
0004409493.tif 000010
【図１０】
0004409493.tif 000011
【図１１】
0004409493.tif 000012